(57)【要約】【課題】補聴器に通常機能以外の付加機能を付加した場合、付加機能の使用頻度により、電池切れが突然発生してしまう。【解決手段】本発明は、マイクロフォン５と、補聴処理部１０と、スピーカ４と、マイクロフォン、補聴処理部、およびスピーカに電源を供給する電池２０と、電池の出力電圧を測定する電圧測定部１８と、録音スイッチ６からの信号に基づいて音声信号を録音する録音処理部１３と、再生スイッチ７からの信号に基づいて、録音処理部に録音された音声信号を再生する再生処理部１６とを有し、録音スイッチおよび再生スイッチのうちの少なくとも一方を操作した時に、電圧測定部による電圧値測定結果が、第１の閾値よりも低い場合には、再生処理部は、スピーカから、録音および再生の少なくとも一方の機能の停止を告げる第１の警告音を出力させる。【選択図】図１
2011229045.tif 000002
【特許請求の範囲】
【請求項１】
マイクロフォンと、
前記マイクロフォンの出力側に接続され、前記マイクロフォンが出力する音声信号に補聴処理を施す補聴処理部と、
前記補聴処理部の出力側に接続されたスピーカと、
前記マイクロフォン、前記補聴処理部、および前記スピーカに電源を供給する電池と、
前記電池の出力電圧を測定する電圧測定部と、
前記マイクロフォンの出力側に設けられ前記音声信号を録音する録音処理部と、
前記録音処理部を動作させるための信号を発する録音スイッチと、
再生スイッチからの信号に基づいて、前記録音処理部に録音された前記音声信号を再生する再生処理部と、
前記再生処理部を動作させるための信号を発する再生スイッチとを有し、
前記録音スイッチおよび前記再生スイッチのうちの少なくとも一方を操作した時に、前記電圧測定部による電圧値測定結果が、第１の閾値よりも低い場合には、前記再生処理部は、前記スピーカから、録音および再生の少なくとも一方の機能の停止を告げる第１の警告音を出力させる、補聴器。
【請求項２】
前記電圧測定手段による電圧値測定結果が、前記第１の閾値よりも低い第２の閾値よりも低い場合、前記再生処理部は、前記スピーカから、前記電池の交換が必要であることを知らせる第２の警告音を出力させる、請求項１に記載の補聴器。
【請求項３】
前記第１の警告音または前記第２の警告音は、前記録音処理部に録音された音声信号である、請求項１または２に記載の補聴器。
【請求項４】
前記第１の警告音または前記第２の警告音は、あらかじめ補聴処理されている、請求項１から３のいずれかに記載の補聴器。
【発明の詳細な説明】
【技術分野】
【０００１】
本発明は、補聴器に関するものである。
【背景技術】
【０００２】
補聴器は、マイクロフォンと、このマイクロフォンの出力側に接続された補聴処理部と、この補聴処理部の出力側に接続されたスピーカと、これらのマイクロフォン、補聴処理部、スピーカに電源を供給する電池とを備え、電池の電圧値は電圧測定手段によって測定され、この電圧測定手段による電圧値測定結果が、閾値よりも低い場合には、スピーカから警告音を発するようになっている（例えば下記特許文献１）。
【先行技術文献】
【特許文献】
【０００３】
【特許文献１】特開２００９−２５３３４３号公報
【発明の概要】
【発明が解決しようとする課題】
【０００４】
上述のごとく従来の補聴器でも、電池の電圧値を電圧測定手段によって測定し、この電圧測定手段による電圧値測定結果が、閾値よりも低い場合には、スピーカから警告音を発するようにしているので、使用中の突然の電池切れを回避することができる。すなわち、補聴器における通常消費電力は小さく、電池の電圧値は徐々に低下するので、警告音が発せられた時でも、直ちに電池切れによる動作不能状態になることはない。このため、使用者にこのような警告音を発することは、電池切れによる動作不能状態の回避のためには、極めて有効な手段となっている。
【０００５】
しかしながら、補聴器に通常機能以外の付加機能を付加した場合には、この付加機能の使用頻度により、電池切れが突然発生することがある。そこで、本発明は、付加機能の使用頻度により、電池切れが突然発生することを防止することを目的とするものである。
【課題を解決するための手段】
【０００６】
そして、この目的を達成するために本発明は、マイクロフォンと、前記マイクロフォンの出力側に接続され、前記マイクロフォンが出力する音声信号に補聴処理を施す補聴処理部と、前記補聴処理部の出力側に接続されたスピーカと、前記マイクロフォン、前記補聴処理部、および前記スピーカに電源を供給する電池と、前記電池の出力電圧を測定する電圧測定部と、前記マイクロフォンの出力側に設けられ前記音声信号を録音する録音処理部と、前記録音処理部を動作させるための信号を発する録音スイッチと、再生スイッチからの信号に基づいて、前記録音処理部に録音された前記音声信号を再生する再生処理部と、前記再生処理部を動作させるための信号を発する再生スイッチとを有し、前記録音スイッチおよび前記再生スイッチのうちの少なくとも一方を操作した時に、前記電圧測定部による電圧値測定結果が、第１の閾値よりも低い場合には、前記再生処理部は、前記スピーカから、録音および再生の少なくとも一方の機能の停止を告げる第１の警告音を出力させる構成とし、これにより所期の目的を達成するものである。
【発明の効果】
【０００７】
本発明においては、録音スイッチおよび再生スイッチのうちの少なくとも一方を操作した時に、電圧測定部による電圧値測定結果が、第１の閾値よりも低い場合には、再生処理部は、スピーカから、録音および再生の少なくとも一方の機能の停止を告げる第１の警告音を出力させるので、付加機能として設けた録音および/または再生手段の過度の使用が抑制され、その結果として、電池切れが突然発生するのを防止することができる。
【図面の簡単な説明】
【０００８】
【図１】本発明の実施の形態１にかかる補聴器の斜視図
【図２】同制御ブロック図
【図３】同斜視図
【図４】同動作説明図
【図５】本発明の実施の形態２にかかる補聴器の動作説明図
【図６】本発明の実施の形態３にかかる補聴器の動作説明図
【図７】本発明の実施の形態４にかかる補聴器の制御ブロック図
【発明を実施するための形態】
【０００９】
以下、本発明の実施形態を、添付図面を用いて説明する。
（実施の形態１）
図１は本発明の実施の形態１にかかる耳掛け型の補聴器を示し、本体ケース１は使用者２の耳（図示せず）の背面側に装着され、その耳掛け部３が耳の上部に引っかかり、その状態で、スピーカ４が耳孔内に装着されるようになっている。本体ケース１の表面には、マイクロフォン５、録音スイッチ６、再生スイッチ７、再生ボリューム８の一部が表出した状態となっている。
【００１０】
図２は制御ブロック図を示し、マイクロフォン５の出力側にはＡ／Ｄ変換器９が接続され、Ａ／Ｄ変換器９の出力側には補聴処理部１０が接続され、この補聴処理部１０の出力側には合成部１１が接続され、この合成部１１の出力側にはＤ／Ａ変換器１２が接続され、このＤ／Ａ変換器１２の出力側にはスピーカ４が接続されている。また、補聴処理部１０の出力側には、録音処理部１３も接続されている。
【００１１】
録音処理部１３は、録音動作を制御する録音部１４と、この録音部１４の出力側に接続され、録音時に活用される録音メモリ１５とによって構成されており、この内、録音部１４が、上述した補聴処理部１０の出力側、および録音スイッチ６に接続されている。また、録音メモリ１５の出力側には、再生処理部（再生音選択部）１６が接続されている。
さらに、再生スイッチ７には、閾値判定部１７の一方の入力側が接続され、また閾値判定部１７の他方の入力側には、電圧値取得部１８が接続され、これらの閾値判定部１７と、電圧値取得部１８とにより、電圧測定手段が構成されている。また、この電圧測定手段の閾値判定部１７の出力側には、再生処理部１６が接続されており、さらに、この再生処理部１６の、他の入力側には、警告音声部１９が接続されている。図２に示した各部には、電池２０から電源供給が行われているが、この電池２０の電圧値は、電圧測定手段の電圧値取得部１８によって取得され、監視されている。
【００１２】
以上の構成において、以下に本実施形態における動作説明を行う。本実施形態の一つの特徴は、録音処理部１３を有することであり、図１において録音スイッチ６を一度押せば、録音部１４は録音モードであることを認識し、図１においては、孫２１の声が録音メモリ１５に録音される。この録音を完了する時には、再度録音スイッチ６を再度一度押せば、録音部１４は録音完了モードであることを認識し、録音が完了する。そして、この録音メモリ１５に録音された孫２１の声は、図３のごとく、再生スイッチ７を押せば、スピーカ４から聞くことができるが、この時、毎回電池２０の電圧値確認が行われる。
【００１３】
電圧測定手段の閾値判定部１７によって、電圧値取得部１８によって取得された電池２０の電圧値が、図４に示す第一の閾値２２、および第二の閾値２３と比較され、第一の閾値２２である１．２Ｖよりも電池２０の電圧値が高いと、閾値判定部１７から再生処理部１６に、録音メモリ１５に録音された孫２１の音声（例えば「おじいちゃん、また遊ぼうね」という音声）を再生することが指示される。その結果、録音メモリ１５に録音された孫２１の音声は、再生処理部１６、再生ボリューム８、合成部１１を介して、スピーカ４に出力され、これを楽しむことができる。
【００１４】
しかしながら、このような孫２１の声を聞くのが楽しくて、何度も再生スイッチ７を押し、それによって電圧値取得部１８によって取得された電池２０の電圧値が、第一の閾値２２である１．２Ｖよりも低くなると、閾値判定部１７から再生処理部１６に、警告音声部１９から「これ以上、再生すると電池が切れる可能性があります」と言う警告音（第１の警告音）を再生することを指示する。その結果、警告音声部１９から「これ以上、再生すると電池が切れる可能性があります」と言う警告音が再生され、これが、再生処理部１６、再生ボリューム８、合成部１１を介して、スピーカ４に出力され、使用者２による、これ以上の再生スイッチ７操作を止めさせる。このため、本来の補聴機能が長く継続され、利便性の高いものとなる。
【００１５】
また、その後の、本来の補聴機能継続使用により、電池２０の電圧値が、第二の閾値２３である１．０Ｖよりも低くなると、閾値判定部１７から再生処理部１６に、警告音声部１９から、電池２０が切れることを予告する「ピー、ピー」と言う警告音（第２の警告音）が発せられ、電池２０の交換を促すことになる。
【００１６】
なお、警告音声部１９に格納される警告音声は、補聴器の調整時に補聴器調整ソフトにより設定できるよう構成することも可能である。これにより、ユーザの好みに合わせた警告音を設定することも可能である。図５は警告音声部１９からの警告音を「これ以上、再生すると電池が切れる可能性があります」から、「電池が足りないため、再生機能を使うと切れる可能性があります」に変更したもので、この警告音が、警告音声部１９から、再生処理部１６、再生ボリューム８、合成部１１を介して、スピーカ４に出力され、これ以上の再生スイッチ７操作を止めさせる。
【００１７】
（その他の実施形態）
図６は警告音声部１９からの警告音を変更したもので、孫２１がマイクロフォン５を介して録音メモリ１５に録音した「電池が切れそうなのでまたね」と言う警告音を、録音メモリ１５、再生処理部１６、再生ボリューム８、合成部１１を介して、スピーカ４に出力させ、これ以上の再生スイッチ７操作を止めさせるものである。
【００１８】
図７は本発明のさらに他の実施形態を示すもので、この実施形態では、再生スイッチ７に再生数カウンタ部２４を接続し、閾値判定部１７による、電圧値取得部１８によって取得された電池２０の電圧値と、図４に示す第一の閾値２２および第二の閾値２３との比較以外に、再生スイッチ７の操作回数を、再生数カウンタ部２４にてカウントするものである。具体的には、電圧値取得部１８によって取得された電池２０の電圧値が、図４に示す第一の閾値２２、および第二の閾値２３よりも高くても、再生スイッチ７の操作回数を例えば５回と設定しておくと、再生回数が５回を超えた場合、再生処理部１６で、「これ以上、再生すると電池が切れる可能性があります」と言う警告音を出力し、これ以上の再生スイッチ７操作を止めさせる。
【００１９】
なお、以上の各実施形態では、再生スイッチ７を押せば閾値判定部１７によって、電圧値取得部１８によって取得された電池２０の電圧値が、図４に示す第一、第二の閾値２２、２３と比較される構成としたが、録音スイッチ６押すたびに、閾値判定部１７によって、電圧値取得部１８によって取得された電池２０の電圧値と、図４に示す第一、第二の閾値２２、２３とを比較する構成としても良い。つまり、この時には、録音回数を制限することで、使用者２による、これ以上の録音スイッチ６操作を止めさせ、これにより、本来の補聴機能が長く継続され、利便性の高いものにするものである。また、警告音は、補聴器使用者が十分聞こえるような音であることが好ましく、例えばあらかじめ補聴処理されていてもよい。
【産業上の利用可能性】
【００２０】
本発明の補聴器は、付加機能として設けた録音および／または再生手段の過度の使用が抑制され、電池切れが突然発生するのを防止することができるので、補聴器としての活用が広く活用が期待される。
【符号の説明】
【００２１】
１    本体ケース
２    使用者
３    耳掛け部
４    スピーカ
５    マイクロフォン
６    録音スイッチ
７    再生スイッチ
８    再生ボリューム
９    Ａ／Ｄ変換器
１０    補聴処理部
１１    合成部
１２    Ｄ／Ａ変換器
１３    録音処理部
１４    録音部
１５    録音メモリ
１６    再生処理部
１７    閾値判定部
１８    電圧値取得部
１９    警告音声部
２０    電池
２１    孫
２２    第一の閾値
２３    第二の閾値
【図１】
2011229045.tif 000003
【図２】
2011229045.tif 000004
【図３】
2011229045.tif 000005
【図４】
2011229045.tif 000006
【図５】
2011229045.tif 000007
【図６】
2011229045.tif 000008
【図７】
2011229045.tif 000009